(57)【要約】【課題】  利用者が商品関連コンテンツを容易に作成する。【解決手段】  商品関連コンテンツ作成システム１０は、利用者２０が利用する情報通信端末１１と、情報通信端末１１と通信ネットワーク１２・１３を介して通信可能に接続し、商品に関する情報である商品情報を提供する商品情報提供サーバ１５とを備える。商品情報提供サーバ１５は、商品を識別する商品識別情報を商品情報に対応付けて記憶している。情報通信端末１１は、商品識別情報を取得すると、取得した商品識別情報を、通信ネットワーク１２・１３を介して商品情報提供サーバ１５に送信することにより、商品識別情報に対応する商品情報を商品情報提供サーバ１５から通信ネットワーク１２・１３を介して取得し、取得した商品情報に、利用者２０から取得した情報を追加した商品関連コンテンツを作成し、作成した商品関連コンテンツをウェブサーバ１４にアップロードする。【選択図】  図１
2006285800.tif 000002
【特許請求の範囲】
【請求項１】
商品に関連するコンテンツである商品関連コンテンツを作成する商品関連コンテンツ作成システムであって、
利用者が利用する情報通信端末と、
該情報通信端末と通信ネットワークを介して通信可能に接続し、前記商品に関する情報である商品情報を提供する商品情報提供サーバとを備えており、
前記商品情報提供サーバは、前記商品を識別する商品識別情報を前記商品情報に対応付けて記憶しており、
前記情報通信端末は、
情報の入力を受け付ける入力手段と、
情報を前記通信ネットワーク上に送受信する通信手段と、
自端末の動作を制御する制御手段とを備えており、
該制御手段は、
前記商品識別情報を、前記入力手段を介して取得する識別情報取得手段と、
取得した商品識別情報を、前記通信手段を介して前記商品情報提供サーバに送信することにより、前記商品識別情報に対応する商品情報を前記商品情報提供サーバから前記通信手段を介して取得する商品情報取得手段と、
取得した商品情報に、利用者から入力手段を介して取得した情報を追加した商品関連コンテンツを作成するコンテンツ作成手段とを備えることを特徴とする商品関連コンテンツ作成システム。
【請求項２】
前記商品関連コンテンツを提供するコンテンツ提供サーバをさらに備えており、
前記情報通信端末における前記コンテンツ作成手段は、作成した商品関連コンテンツを、前記通信手段を介して前記コンテンツ提供サーバに送信し、これにより、コンテンツ提供サーバに新たな商品関連コンテンツが追加されることを特徴とする請求項１に記載の商品関連コンテンツ作成システム。
【請求項３】
前記入力手段は、外部記録媒体に記録された情報を読み取る情報読取手段を備えており、
前記識別情報取得手段は、前記外部記録媒体に記録された前記商品識別情報を、前記情報読取手段を介して取得するものであることを特徴とする請求項１に記載の商品関連コンテンツ作成システム。
【請求項４】
前記情報読取手段は、前記商品識別情報を含む被写体を撮影して撮影画像を生成する撮影手段であり、
前記識別情報取得手段は、前記撮影画像から前記商品識別情報を認識して取得するものであることを特徴とする請求項３に記載の商品関連コンテンツ作成システム。
【請求項５】
前記コンテンツ作成手段は、テンプレートに含まれるスクリプトに基づいてコンテンツを作成することを特徴とする、請求項１記載のコンテンツ作成システム。
【請求項６】
前記入力手段は、外部記録媒体に記録された情報を読み取る情報読取手段を備えており、
前記コンテンツ作成手段は、前記外部記録媒体から前記情報読取手段を介して前記テンプレートを取得することを特徴とする請求項５に記載のコンテンツ作成システム。
【請求項７】
前記商品情報提供サーバからの前記商品情報に基づいて前記テンプレートを生成するテンプレート生成サーバをさらに備えており、
前記商品情報取得手段は、取得した商品識別情報を、前記通信手段を介して前記商品情報提供サーバに送信することにより、前記商品識別情報に対応する商品情報を含むテンプレートを、前記テンプレート生成サーバから前記通信手段を介して取得することを特徴とする、請求項５記載のコンテンツ作成システム。
【請求項８】
前記情報通信端末は、携帯電話機であることを特徴とする、請求項１記載のコンテンツ作成システム。
【請求項９】
商品に関連するコンテンツである商品関連コンテンツを作成する商品関連コンテンツ作成装置であって、
情報の入力を受け付ける入力手段と、
自装置の動作を制御する制御手段とを備えており、
前記入力手段は、外部記録媒体に記録された情報を読み取る情報読取手段を備えており、
該制御手段は、
前記商品に関する情報である商品情報を、前記情報読取手段を介して取得する商品情報取得手段と、
取得した商品情報に、利用者から入力手段を介して取得した情報を追加した商品関連コンテンツを作成するコンテンツ作成手段とを備えることを特徴とする商品関連コンテンツ作成装置。
【請求項１０】
利用者が利用する情報通信端末と、該情報通信端末と通信ネットワークを介して通信可能に接続し、前記商品に関する情報である商品情報を提供する商品情報提供サーバとを備えるシステムにおいて、前記商品に関連するコンテンツである商品関連コンテンツを作成する商品関連コンテンツ作成方法であって、
前記情報通信端末が、前記商品を識別する商品識別情報を取得して前記商品情報提供サーバに送信するステップと、
前記商品情報提供サーバが、前記情報通信端末から前記商品識別情報を受信し、受信した商品識別情報に対応する商品情報を前記情報通信端末に送信するステップと、
前記情報通信端末が、前記商品情報提供サーバから受信した商品情報に、利用者から取得した情報を追加して、商品関連コンテンツを作成するステップとを含むことを特徴とする商品関連コンテンツ作成方法。
【請求項１１】
請求項１ないし８の何れか１項に記載の商品関連コンテンツ作成システムにおける情報通信端末を動作させるための情報通信端末制御プログラムであって、コンピュータを上記制御手段として機能させるための情報通信端末制御プログラム。
【請求項１２】
請求項９に記載の商品関連コンテンツ作成装置を動作させるための商品関連コンテンツ作成装置制御プログラムであって、コンピュータを上記制御手段として機能させるためのコンテンツ作成装置制御プログラム。
【発明の詳細な説明】
【技術分野】
【０００１】
本発明は、商品に関連するコンテンツである商品関連コンテンツを作成する商品関連コンテンツ作成システム、商品関連コンテンツ作成装置、商品関連コンテンツ作成方法、情報通信端末制御プログラム、および商品関連コンテンツ作成装置制御プログラムに関するものである。
【背景技術】
【０００２】
近年、パーソナルコンピュータ（ＰＣ）や携帯電話端末などの情報通信端末を利用して、インターネット上の仮想店舗にアクセスし、商品を選択して購入する電子商取引が普及している。この電子商取引における商品選択を支援する従来のシステムとしては、特許文献１に記載の電子商取引支援システムが知られている。
【０００３】
この電子商取引支援システムでは、利用者が電子商取引に使用する情報通信端末と、商品販売情報の提供元である仮想店舗（Ｗｅｂサーバ）と、ＩＤ管理ＤＢサーバとが通信回線（インターネット）を介して通信可能に接続されている。上記ＩＤ管理ＤＢサーバは、上記仮想店舗へのアクセス情報（ＵＲＬ（Uniform Resource Locators））を、当該商品を特定する商品識別情報と関連付けて予め記憶しており、上記商品識別情報に基づき問合せされたときに、対応するアクセス情報を提供するものである。
【０００４】
上記情報通信端末は、上記商品識別情報が付加された画像または音声から商品識別情報を抽出し、抽出した商品識別情報に対応するアクセス情報を、上記ＩＤ管理ＤＢサーバへ問合せして取得し、取得したアクセス情報を用いて仮想店舗へアクセスする。これにより、テレビショッピング等による電子商取引のときに必要な購入候補の商品情報の入力に要する利用者の手間が軽減される。
【特許文献１】特開２００５−２５６２６号公報（２００５年１月２７日公開）
【特許文献２】特開２００４−３４３６８３号公報（２００４年１２月２日公開）
【特許文献３】特開２００３−３３１３０９号公報（２００３年１１月２１日公開）
【発明の開示】
【発明が解決しようとする課題】
【０００５】
しかしながら、特許文献１に記載の電子商取引支援システムでは、利用者は商品の購入しか行うことはできず、購入した商品や、所有している商品に関連するコンテンツを作成することはできない。また、作成したコンテンツをウェブ（Ｗｅｂ）上のホームページ等にアップロードし、公開することによって、その商品の知識や評価を他人と共有することが可能になるが、商品のタイトルや価格などの情報を利用者自身で入力する必要がある。特に、ＰＣに比較して操作が制限される携帯電話端末などの情報通信端末においては、コンテンツの作成が困難であるだけでなく、ウェブ上のホームページ等のコンテンツを簡単に更新することが困難である。
【０００６】
本発明は、上記の問題点に鑑みてなされたものであり、その目的は、商品の評価等を伝達するための商品関連コンテンツを容易に作成できる商品関連コンテンツ作成システムなどを提供することにある。
【課題を解決するための手段】
【０００７】
本発明に係る商品関連コンテンツ作成システムは、商品に関連するコンテンツである商品関連コンテンツを作成する商品関連コンテンツ作成システムであって、上記課題を解決するために、利用者が利用する情報通信端末と、該情報通信端末と通信ネットワークを介して通信可能に接続し、前記商品に関する情報である商品情報を提供する商品情報提供サーバとを備えており、前記商品情報提供サーバは、前記商品を識別する商品識別情報を前記商品情報に対応付けて記憶しており、前記情報通信端末は、情報の入力を受け付ける入力手段と、情報を前記通信ネットワーク上に送受信する通信手段と、自端末の動作を制御する制御手段とを備えており、該制御手段は、前記商品識別情報を、前記入力手段を介して取得する識別情報取得手段と、取得した商品識別情報を、前記通信手段を介して前記商品情報提供サーバに送信することにより、前記商品識別情報に対応する商品情報を前記商品情報提供サーバから前記通信手段を介して取得する商品情報取得手段と、取得した商品情報に、利用者から入力手段を介して取得した情報を追加した商品関連コンテンツを作成するコンテンツ作成手段とを備えることを特徴としている。
【０００８】
上記の構成によると、情報通信端末は、商品識別情報を取得すると、取得した商品識別情報を商品情報提供サーバに送信することにより、商品識別情報に対応する商品情報を商品情報提供サーバから取得し、取得した商品情報に、利用者から取得した情報を追加した商品関連コンテンツを作成している。これにより、利用者は、商品識別情報を情報通信端末に入力することにより、自動的に商品情報を取得できるので、商品関連コンテンツを作成するときに商品情報を入力する必要が無い。したがって、利用者は、商品関連コンテンツを容易に作成することができる。
【０００９】
なお、商品識別情報は商品を識別する固有の識別情報であることが好ましい。この場合、商品識別情報に正確に対応する商品情報を取得できる。また、商品識別情報および商品情報は、任意のデータ形式でよく、すなわち、数値データ、テキストデータ、画像データ、音データの少なくとも１つを含めばよい。
【００１０】
本発明に係る商品関連コンテンツ作成システムでは、前記商品関連コンテンツを提供するコンテンツ提供サーバをさらに備えており、前記情報通信端末における前記コンテンツ作成手段は、作成した商品関連コンテンツを、前記通信手段を介して前記コンテンツ提供サーバに送信し、これにより、コンテンツ提供サーバに新たな商品関連コンテンツが追加されることが好ましい。この場合、情報通信端末が作成した商品関連コンテンツをコンテンツ提供サーバにて公開することができる。
【００１１】
本発明に係る商品関連コンテンツ作成システムでは、前記入力手段は、外部記録媒体に記録された情報を読み取る情報読取手段を備えており、前記識別情報取得手段は、前記外部記録媒体に記録された前記商品識別情報を、前記情報読取手段を介して取得するものであることが好ましい。
【００１２】
ここで、外部記録媒体の例としては、記憶素子、ＩＣチップ、磁気記録媒体、光記録媒体、商品に付されるバーコードや電子透かし、印刷媒体などが挙げられる。また、情報読取手段の例としては、記憶素子、ＩＣチップ、バーコードなどから情報を読み出すリーダ、磁気記録媒体や光記録媒体から情報を読み出すドライブ装置、バーコードや印刷媒体などを撮影するカメラ、バーコードや電子透かし、印刷媒体などから情報を読み出すスキャナなどが挙げられる。
【００１３】
上記の構成によると、外部記録媒体から商品識別情報を取得するので、利用者が商品識別情報を、入力手段を介して情報通信端末に入力する手間を省略でき、利用者の利便性が向上する。
【００１４】
本発明に係るコンテンツ作成システムでは、前記情報読取手段は、前記商品識別情報を含む被写体を撮影して撮影画像を生成する撮影手段であり、前記識別情報取得手段は、前記撮影画像から前記商品識別情報を認識して取得するものであってもよい。この場合、利用者が商品に付与したバーコードなどを撮影することにより商品識別情報を取得できるので、利用者の利便性が向上する。
【００１５】
本発明に係るコンテンツ作成システムでは、前記コンテンツ作成手段は、テンプレートに含まれるスクリプトに基づいてコンテンツを作成することが好ましい。この場合、利用者は、テンプレートに情報を入力するだけで適当なコンテンツを作成できるので、利用者がコンテンツを作成することがさらに容易になる。
【００１６】
本発明に係るコンテンツ作成システムでは、前記入力手段は、外部記録媒体に記録された情報を読み取る情報読取手段を備えており、前記コンテンツ作成手段は、前記外部記録媒体から前記情報読取手段を介して前記テンプレートを取得してもよい。この場合、情報通信端末は、外部記録媒体からテンプレートを取得できるので、情報通信端末が種々のテンプレートを記憶する必要が無く、リソースへの負担が軽減される。
【００１７】
本発明に係るコンテンツ作成システムでは、前記商品情報提供サーバからの前記商品情報に基づいて前記テンプレートを生成するテンプレート生成サーバをさらに備えており、前記商品情報取得手段は、取得した商品識別情報を、前記通信手段を介して前記商品情報提供サーバに送信することにより、前記商品識別情報に対応する商品情報を含むテンプレートを、前記テンプレート生成サーバから前記通信手段を介して取得してもよい。この場合、情報通信端末は、商品識別情報を商品情報提供サーバに送信することにより、テンプレート生成サーバから商品情報を含むテンプレートを取得できるので、種々のテンプレートを記憶する必要が無く、リソースへの負担が軽減される。
【００１８】
なお、本発明に係るコンテンツ作成システムでは、前記情報通信端末は、携帯電話機であってもよい。携帯電話機では、利用者が情報をテンキーで入力するため、情報の入力が煩わしい。これに対し、上記の構成によると、利用者が商品情報を入力する必要がないため、利用者の負担を軽減することができる。
【００１９】
本発明に係る商品関連コンテンツ作成装置は、商品関連コンテンツを作成する商品関連コンテンツ作成装置であって、上記課題を解決するため、情報の入力を受け付ける入力手段と、自装置の動作を制御する制御手段とを備えており、前記入力手段は、外部記録媒体に記録された情報を読み取る情報読取手段を備えており、該制御手段は、前記商品に関する情報である商品情報を、前記情報読取手段を介して取得する商品情報取得手段と、取得した商品情報に、利用者から入力手段を介して取得した情報を追加した商品関連コンテンツを作成するコンテンツ作成手段とを備えることを特徴としている。
【００２０】
上記の構成によると、情報通信端末は、外部記録媒体から商品情報を取得し、取得した商品情報に、利用者から入力手段を介して取得した情報を追加した商品関連コンテンツを作成している。これにより、利用者は、外部記録媒体から自動的に商品情報を取得できるので、商品関連コンテンツを作成するときに商品情報を入力する必要が無い。したがって、利用者は、商品関連コンテンツを容易に作成することができる。
【００２１】
本発明に係る商品関連コンテンツ作成方法は、利用者が利用する情報通信端末と、該情報通信端末と通信ネットワークを介して通信可能に接続し、前記商品に関する情報である商品情報を提供する商品情報提供サーバとを備えるシステムにおいて、前記商品に関連するコンテンツである商品関連コンテンツを作成する商品関連コンテンツ作成方法であって、上記課題を解決するため、前記情報通信端末が、前記商品を識別する商品識別情報を取得して前記商品情報提供サーバに送信するステップと、前記商品情報提供サーバが、前記情報通信端末から前記商品識別情報を受信し、受信した商品識別情報に対応する商品情報を前記情報通信端末に送信するステップと、前記情報通信端末が、前記商品情報提供サーバから受信した商品情報に、利用者から取得した情報を追加して、商品関連コンテンツを作成するステップとを含むことを特徴としている。
【００２２】
上記の方法によると、情報通信端末は、商品識別情報を取得すると、取得した商品識別情報を商品情報提供サーバに送信することにより、商品識別情報に対応する商品情報を商品情報提供サーバから取得し、取得した商品情報に、利用者から取得した情報を追加して、商品関連コンテンツを作成している。これにより、利用者は、商品識別情報を情報通信端末に入力することにより、自動的に商品情報を取得できるので、商品関連コンテンツを作成するときに商品情報を入力する必要が無い。したがって、利用者は、商品関連コンテンツを容易に作成することができる。
【００２３】
なお、上記コンテンツ作成システムにおける情報通信端末の制御手段を、情報通信端末制御プログラムによりコンピュータ上で実行させることができる。また、上記商品関連コンテンツ作成装置における制御手段を、商品関連コンテンツ作成装置制御プログラムによりコンピュータ上で実行させることができる。さらに、上記情報通信端末制御プログラム、および／または、上記商品関連コンテンツ作成装置制御プログラムをコンピュータ読取り可能な記録媒体に記憶させることにより、任意のコンピュータ上で上記情報通信端末制御プログラム、および／または、上記商品関連コンテンツ作成装置制御プログラムを実行させることができる。
【発明の効果】
【００２４】
本発明に係る商品関連コンテンツ作成システムは、以上のように、情報通信端末が、商品識別情報を取得し、取得した商品識別情報を商品情報提供サーバに送信することにより、商品識別情報に対応する商品情報を商品情報提供サーバから取得するので、利用者は、商品関連コンテンツを作成するときに商品情報を入力する必要が無く、商品関連コンテンツを容易に作成できるという効果を奏することができる。
【００２５】
また、本発明に係る商品関連コンテンツ作成装置は、以上のように、情報通信端末が、外部記録媒体から商品情報を取得するので、利用者は、商品関連コンテンツを作成するときに商品情報を入力する必要が無く、商品関連コンテンツを容易に作成できるという効果を奏することができる。
【発明を実施するための最良の形態】
【００２６】
〔実施の形態１〕
以下、本発明の一実施形態について、図１〜図１０を参照しつつ説明する。図１は、本実施形態である商品関連コンテンツ作成システムの概略構成を示している。図示のように、商品関連コンテンツ作成システム１０は、情報通信端末（商品関連コンテンツ作成装置）１１、移動体通信網（通信ネットワーク）１２、インターネット（通信ネットワーク）１３、ウェブサーバ（コンテンツ提供サーバ）１４、商品情報提供サーバ１５、テンプレート生成装置（テンプレート生成サーバ）１６を備える構成である。
【００２７】
情報通信端末１１は、利用者２０が携帯してコンテンツを作成するために利用されるものである。情報通信端末１１の例としては、携帯電話端末、無線アクセス機能を有する個人情報端末（ＰＤＡ）などが挙げられる。なお、利用者２０は、情報通信端末１１を操作することにより、移動体通信網１２の提供するデータ通信サービス、およびインターネット接続サービスを利用する契約を電気通信事業者（キャリア）と結んでいるとする。
【００２８】
移動体通信網１２は、基地局２１、交換機２２、およびＧＷ（ゲートウェイ）２３とを備える構成である。基地局２１は情報通信端末１１と無線通信を行うものである。交換機２２は、基地局２１と有線回線で繋がっており、回線の切替えを行うものである。ＧＷ２３は、インターネット１３と移動体通信網１２とを接続するものである。これにより、情報通信端末１１の利用者２０に対しては、移動体通信網１２を利用して、データ通信サービスの一つとしてインターネット接続サービスが提供される。
【００２９】
インターネット１３には、移動体通信網１２の他、ウェブサーバ１４、商品情報提供サーバ１５、テンプレート生成装置１６などの様々な装置が接続される。ウェブサーバ１４はコンテンツを提供するものであり、商品情報提供サーバ１５は商品情報を提供するものであり、テンプレート生成装置１６はテンプレートを生成するものである。
【００３０】
ウェブサーバ１４は、利用者２０の情報通信端末１１からの要求に応じて、コンテンツのデータを、インターネット１３および移動体通信網１２を介して利用者２０の情報通信端末１１に送信する。また、商品情報提供サーバ１５は、利用者２０の情報通信端末１１からの要求に応じて、商品情報のデータを、インターネット１３および移動体通信網１２を介して利用者２０の情報通信端末１１に送信する。コンテンツおよび商品情報のデータ形式の例としては、ＨＴＭＬ（Hyper Text Markup Language）形式、ＸＭＬ（eXtensible Markup Language）形式、ＸＨＴＭＬ（eXtensible Hyper Text Markup Language）形式などが挙げられる。
【００３１】
また、テンプレート生成装置１６は、利用者２０の情報通信端末１１からの要求に応じてテンプレートを生成し、インターネット１３および移動体通信網１２を介して利用者２０の情報通信端末１１に送信する。ここで、テンプレートは、既存技術として確立されており、詳細は略すが以下に示すものである。すなわち、上記特許文献２に記載されているように、テンプレートは、スクリプトを含んで構成される、再生または編集可能なマルチメディアデータであって、利用者の操作などをきっかけとして、該スクリプト内のメディアデータを参照する部分の記述を書き換えることにより、メディアデータの追加、変更、および削除を行うことができるマルチメディアデータの一形態を示す。
【００３２】
なお、テンプレートには、スクリプトから参照されるメディアデータを１つ以上含んでも良い。メディアデータとは、静止画データ、動画データ、音声データ、音楽データ、およびテキストデータの何れか、もしくは外部から受信するストリーミングデータや放送データをいう。また、これらメディアデータを統合したものをマルチメディアデータと呼ぶ。
【００３３】
スクリプトとは、上記マルチメディアデータを表示、再生、および編集するために、マルチメディアデータが含む各メディアデータに対して画面上のレイアウト情報、時間軸上の再生開始・終了タイミングや、再生速度、音量などの属性を規定する記述形式を指す。また、外部アプリケーションの起動、装置内外からの情報取得、他のマルチメディアデータのリンク遷移などの制御情報も、スクリプト内に記述することができる。
【００３４】
利用者２０がコンテンツ作成の対象と考えている商品２４は、商品を一意に特定するための情報を含む商品識別情報２５を有している。商品識別情報２５の例としては、バーコード、商品２４に付される電子透かし等のデータが挙げられる。また、商品識別情報２５を、記憶素子、ＩＣチップ、磁気記録媒体、光記録媒体、印刷媒体等の記録媒体に記憶しておき、それをリーダ、ドライブ、カメラ（撮影手段）、スキャナ等の情報読取装置（情報読取手段）にて読み出して利用してもよい。
【００３５】
図２は、商品情報提供サーバ１５の概略構成を示している。商品情報提供サーバ１５は、コンピュータにより構成されている。図示のように、商品情報提供サーバ１５は、通信Ｉ／Ｆ（インタフェース）部３０、制御部３１、および記憶部３２を備える構成である。
【００３６】
通信Ｉ／Ｆ部３０は、インターネット１３を介して各種装置とデータ通信を行うためのものである。
【００３７】
制御部３１は、商品情報提供サーバ１５内の各種構成を統括的に制御するものである。制御部３１の機能は、例えばＲＡＭやフラッシュメモリなどの記憶装置に記憶されたプログラムをＣＰＵ（Central Processing Unit）が実行することによって実現される。
【００３８】
記憶部３２は、例えばＲＡＭやハードディスクドライブ（ＨＤＤ）などの記憶装置を備えて、各種データおよび各種プログラムを記憶するものである。本実施形態では、記憶部３２は、図２に示されるように、インターネット１３および移動体通信網１２を介して、利用者２０に提供する商品情報３３を予め複数個記憶している。各商品情報３３は、当該商品情報３３を一意に識別するための識別情報である商品ＩＤ３４と、商品情報そのものを示す商品データ３５とを含む。
【００３９】
ここで、商品データ３５は、数値データ、テキストデータ、静止画データ、動画データ、音声データ、音楽データ等のデータの１つ、または複数のデータの組合せにより構成されるものである。商品データ３５が複数のデータの組合せで構成される場合、商品情報３３は、１つの商品ＩＤ３４と、複数の商品データ３５とを含む構成となる。
【００４０】
商品データ３５には、商品名、商品カテゴリ、販売日、販売会社、商品画像、価格等のデータが含まれる。また、商品データ３５には、商品の種類に応じて異なるデータが含まれる。例えば、商品が本の場合には著者のデータが含まれ、音楽ＣＤの場合には歌手のデータが含まれる。また、商品画像に関しては、画像データのリンク情報（ＵＲＬ）が含まれていても良いし、画像データがそのまま含まれていてもよい。また、商品が音楽の場合には、商品画像の他に音楽データの一部、もしくは全部を含めてもよい。
【００４１】
なお、ウェブサーバ１４およびテンプレート生成装置１６は、図２に示される商品情報提供サーバ１５と比べて、記憶部３２に記憶するデータが異なるのみであり、その他の構成は同様であるので、その説明を省略する。
【００４２】
図３（ａ）・（ｂ）は、情報通信端末１１の外観を示している。図示のように、情報通信端末１１の筐体表面には、赤外線ポート４０、アンテナ（通信手段）４１、表示部（出力手段）４２、選択ボタン（入力手段）４３、決定ボタン（入力手段）４４、実行ボタン（入力手段）４５、テンキー（入力手段）４６、および撮影部（入力手段、情報読取手段、撮影手段）４７が設けられている。
【００４３】
赤外線ポート４０は、赤外線を利用して他の情報通信端末とデータ通信を行うためのものである。通常、赤外線ポート４０は、電気信号を赤外線に変換して送信する発光ダイオード（ＬＥＤ）と、赤外線をフォトダイオードとを備えている。
【００４４】
アンテナ４１は、移動体通信網１２における基地局２１との間で電波を送受信するためのものである。具体的には、アンテナ４１は、８００ＭＨｚ帯、１．５ＧＨｚ帯、または２ＧＨｚ帯の携帯電話機用電波を送受するためのものである。
【００４５】
表示部４２は、文字や画像などの各種情報を表示出力するものである。表示部４２の例としては、ＬＣＤ（Liquid Crystal Display）、ＥＬ（Electroluminescence）ディスプレイ、ＰＤＰ（Plasma Display Panel）などが挙げられる。
【００４６】
選択ボタン４３は、表示部４２に表示された選択対象を上下左右方向に移動させるためのものである。また、決定ボタン４４は、種々の選択を決定するためのものである。また、実行ボタン４５は、情報通信端末１１に含まれるアプリケーションやプログラムを起動し、実行するためのものである。また、テンキーは、数字や文字などの各種記号を入力するためのものである。
【００４７】
撮影部４７は、被写体の撮影を行って、静止画や動画を生成するためのものである。具体的には、撮影部４７は、レンズなどの光学系と、被写体からの光を電気信号に変換するＣＣＤ（Charge Coupled Device）、ＣＭＯＳ（Complementary Metal-oxide Semiconductor）イメージセンサなどの撮像素子とを備える構成である。
【００４８】
なお、各種部品４０〜４７は、図３に示される位置以外の位置に設けてもよい。また、決定ボタン４４および実行ボタン４５を設ける代わりに、表示部４２に決定ボタン４４の画像と実行ボタン４５の画像とを表示してもよい。この場合、利用者２０が選択ボタン４３を用いて、決定ボタン４４または実行ボタン４５の画像を選択することにより、決定ボタン４４または実行ボタン４５の操作を行ったと見なせばよい。さらに、各種ボタン４３〜４６を設ける代わりに、表示部４２の表示画面にタッチセンサを設けたタッチパネルを設けても良い。
【００４９】
図４は、情報通信端末１１の概略構成を示している。図示のように、情報通信端末１１は、制御部（制御手段）５０、ＲＦ（Radio Frequency）通信部（通信手段）５１、赤外線通信部５２、入力部（入力手段）５３、出力部５４、データバス５５を備える構成である。
【００５０】
制御部５０は、情報通信端末１１における各種構成を統括的に制御するものである。制御部５０の機能は、例えばＲＡＭやフラッシュメモリなどのメモリ５６に記憶されたプログラムをＣＰＵ５７が実行することによって実現される。本実施形態では、制御部５０は、商品２４（図１）に関連するコンテンツを生成するコンテンツ生成部として機能する。
【００５１】
ＲＦ通信部５１は、データバス５５を介して受信したデータを、無線通信に適した形式に変換し、変換した無線信号をアンテナ４１を介して外部に送信するものである。また、ＲＦ通信部５１は、外部からアンテナ４１を介して受信した無線信号を元の形式に変換し、変換したデータをデータバス５５上に送信するものである。具体的には、ＲＦ通信部５１では、チャネルコーデック処理、ベースバンド信号処理、データの変復調処理、ＲＦ処理などが行われる。
【００５２】
赤外線通信部５２は、データバス５５を介して受信したデータを、赤外線通信に適した形式に変換し、変換した赤外線信号を赤外線ポート４０を介して外部に送信するものである。また、赤外線通信部５２は、外部から赤外線ポート４０を介して受信した赤外線信号を元の形式に変換し、変換したデータをデータバス５５上に送信するものである。
【００５３】
入力部５３は、選択ボタン４３、決定ボタン４４、実行ボタン４５、テンキー４６、および撮影部４７を含むものであり、選択情報、指示情報、文字情報、画像情報などの各種情報が入力されるためのものである。入力部５３は、入力された情報を所定のデータ形式に変換して、データバス５５上に送信する。
【００５４】
出力部５４は、表示部４２と、イヤホン、スピーカなどの音声出力部（図示せず）を含むものであり、データバス５５を介して受信した各種情報を外部に出力するためのものである。利用者２０は、出力部５４が表示出力する画像（静止画像および動画像を含む）や文字などを見ることができ、出力部５４が音声出力する音声や音楽を聴くことができる。
【００５５】
データバス５５は、各種構成５０〜５４が相互にデータ通信を行うためのものである。なお、図４に示される場合では、各種構成５０〜５４は、１つのデータバス５５を介して相互に接続されている。これに対し、例えば、各種Ｉ／Ｆ５１〜５４とＣＰＵ５７とが或るデータバスを介して相互に接続され、メモリ５６とＣＰＵ５７とが別のデータバスを介して相互に接続されているように、各種構成５０〜５４が複数のデータバスを介して相互に接続されていても良い。
【００５６】
本実施形態では、情報通信端末１１は、商品情報提供サーバ１５からインターネット１３および移動体通信網１２を介して受信した商品情報３３（図２）をメモリ５６に記憶している。メモリ５６に記憶された商品情報３３は、読み出され、出力部５４を介して文字、画像、または音として出力される。
【００５７】
なお、ＣＰＵ５７が実行するプログラムは、インターネット１３および移動体通信網１２を経由し、通信部５１を介してメモリ５６にダウンロードされてもよいし、別の情報通信端末から赤外線ポート４０を介してメモリ５６にダウンロードされてもよい。また、外部記録媒体を着脱可能な外部記録装置を情報通信端末１１に設けておき、ＣＰＵ５７が実行するプログラムを、外部記録媒体を介してメモリ５６にダウンロードされてもよい。
【００５８】
図５は、情報通信端末１１の制御部５０を機能別に構成したものであり、商品２４のコンテンツの作成に関わる構成の詳細を示している。図示のように、制御部５０は、商品識別情報取得部（識別情報取得手段）６０、商品情報取得部（商品情報取得手段）６１、およびコンテンツ作成部（コンテンツ作成手段）６２を備える構成である。
【００５９】
商品識別情報取得部６０は、入力部５３のテンキー４６や撮影部４７を介して、商品識別情報２５を取得する。また、商品識別情報取得部６０は、取得した商品識別情報２５を、ＲＦ通信部５１、移動体通信網１２およびインターネット１３を介して商品情報提供サーバ１５に送信する。
【００６０】
商品情報取得部６１は、商品情報提供サーバ１５からインターネット１３、移動体通信網１２、およびＲＦ通信部５１を介して、商品識別情報２５に対応する商品情報３３を取得する。また、商品情報取得部６１は、取得した商品情報３３をコンテンツ作成部６２に送信する。
【００６１】
コンテンツ作成部６２は、商品情報取得部６１から受信した商品情報３３に、利用者２０から取得した情報を追加した商品関連コンテンツを作成する。コンテンツ作成部６２は、出力部５４の表示部４２を介して利用者２０に指示することにより、利用者２０から入力部５３のテンキー４６を介して情報を取得することができる。また、コンテンツ作成部６２は、作成した商品関連コンテンツを、ＲＦ通信部５１、移動体通信網１２およびインターネット１３を介してウェブサーバ１４に送信する。
【００６２】
上記構成の商品関連コンテンツ作成システム１０における処理動作について、図６〜図１０を参照しつつ説明する。図６は、上記構成の商品関連コンテンツ作成システム１０において、利用者２０が、情報通信端末１１を利用して、商品２４に関連するコンテンツを作成する場合の処理動作を示している。この処理動作は、利用者２０が、商品２４に関連するコンテンツを作成しようとして、情報通信端末１１の実行ボタン４５を操作することにより実行される。なお、同図では、端末側（情報通信端末１１）の処理動作が左側に示され、サーバ側（商品情報提供サーバ１５）の処理動作が右側に示されている。
【００６３】
図６に示されるように、まず、情報通信端末１１の商品識別情報取得部６０は、情報通信端末１１の撮影部４７を利用して、商品識別情報２５の１つであるバーコードを撮影するように利用者２０に指示する。次に、商品識別情報取得部６０は、撮影画像からバーコードを認識し、バーコードに含まれる商品識別情報２５を取得する（ステップＳ１０（以下「Ｓ１０」と略称することがある。他のステップについても同様である。））。次に、商品識別情報取得部６０は、取得した商品識別情報２５を、移動体通信網１２およびインターネット１３を介して商品情報提供サーバ１５に送信する（Ｓ１１）。
【００６４】
商品情報提供サーバ１５は、情報通信端末１１から商品識別情報２５を受信すると（Ｓ２０）、受信した商品識別情報２５に対応する商品情報３３を検索して取得する（Ｓ２１）。なお、この処理動作の詳細は後述する。次に、商品情報提供サーバ１５は、取得した商品情報３３を、インターネット１３および移動体通信網１２を介して情報通信端末１１に送信する（Ｓ２２）。その後、商品情報提供サーバ１５は、処理動作を終了する。
【００６５】
一方、情報通信端末１１は、商品情報提供サーバ１５から商品情報３３を受信して商品情報取得部６１が取得すると（Ｓ１２）、コンテンツ作成部６２は、取得した商品情報３３に含まれる商品データ３５を利用して、商品２４に関連するコンテンツの作成を行う（Ｓ１３）。その後、情報通信端末１１は、処理動作を終了する。
【００６６】
図７は、商品情報提供サーバ１５が、商品識別情報２５から商品情報３３を検索して取得する処理動作の詳細を示している。図示のように、まず、商品情報提供サーバ１５は、情報通信端末１１から受信した商品識別情報２５に該当する商品情報３３が存在するか否かを判断する（Ｓ２３）。
【００６７】
具体的には、商品情報提供サーバ１５は、情報通信端末１１から受信した商品識別情報２５と、記憶部３２が記憶する商品ＩＤ３４とを比較し、一致するものを検索する。一致した商品ＩＤ３４を含む商品情報３３が、目的の商品情報３３である。ここで、商品識別情報２５が例えばバーコードであった場合には、バーコードに含まれる数値データが商品識別情報２５となる。なお、商品識別情報２５は、数値データの他、テキストデータ、画像データ、音データなどであってもよい。
【００６８】
商品識別情報２５に該当する商品情報３３が存在する場合（Ｓ２３でＹＥＳ）、商品情報提供サーバ１５は、商品情報３３を所定のフォーマットに従って変換する。ここで、所定のフォーマットとは、商品情報提供サーバ１５が予め定めるデータフォーマットであり、ＸＭＬ形式のデータなどが挙げられる。その後、図６に示される元の処理に戻って、商品情報提供サーバ１５は、所定のフォーマットに変換された商品情報３３を、インターネット１３および移動体通信網１２を介して情報通信端末１１に商品情報を送信する（Ｓ２２）。
【００６９】
図８は、商品情報提供サーバ１５が情報通信端末１１に提供する商品情報３３の一例を示している。図示のように、商品情報３３は、ＸＭＬデータの中に含まれており、商品情報３３の中には、商品ＩＤ３４と商品データ３５とが含まれている。図示の例では、商品データ３５は、商品名、著者、発行日、発行会社、商品画像、および価格のデータが含まれている。また、商品画像のデータは、大・中・小の３種類の画像データのリンク情報（ＵＲＬ）となっている。
【００７０】
図９（ａ）〜（ｈ）は、情報通信端末１１において商品２４に関するコンテンツを作成する間に表示部４２に表示される画像の一例を示している。なお、本実施形態では、コンテンツを作成するために、既存技術であるテンプレートを利用している。
【００７１】
まず、制御部５０は、図９（ａ）に示されるようなテンプレート一覧を表示部４２に表示させる。次に、利用者２０は、選択ボタン４３を利用して、表示部４２に表示されているテンプレート一覧の中から、所望のテンプレートを選択する。本実施形態では、商品紹介を行うので、利用者２０は、商品紹介テンプレートを選択ボタン４３によって選択し、決定ボタン４４にて決定する。
【００７２】
決定ボタン４４にて利用するテンプレートが決定されると、制御部５０は、上記商品紹介テンプレートに含まれるスクリプトを実行する。これにより、図６に示される情報通信端末１１の処理が以下のように実行される。
【００７３】
すなわち、商品識別情報取得部６０は、図９（ｂ）に示されるように、商品紹介テンプレートの動作説明を表示部４２が表示して、図９（ｃ）に示されるように、撮影部４７が商品２４のバーコードを撮影するように指示し、撮影画像からバーコードを認識して、該バーコードに含まれる商品識別情報２５を取得する。
【００７４】
商品識別情報２５を取得した後、商品識別情報取得部６０は、図９（ｄ）に示されるように、移動体通信網１２およびインターネット１３を介して商品情報提供サーバ１５に商品識別情報２５を送信する。商品識別情報２５を受信した商品情報提供サーバ１５は、商品識別情報２５に対応した商品情報３３を検索し、検索した商品情報３３を所定のデータフォーマットに変換した上で、インターネット１３および移動体通信網１２を介して情報通信端末１１に送信する。情報通信端末１１では、商品情報提供サーバ１５からの商品情報３３を、ＲＦ通信部５１が受信して、商品情報取得部６１が取得する。
【００７５】
商品情報取得部６１が商品情報３３を取得すると、コンテンツ作成部６２は、図９（ｅ）に示されるように、取得した商品情報３３の中から必要な情報を抽出し、抽出した情報を予め含めた入力フォームを表示部４２に表示させる。なお、図示の例では、商品名および価格の情報を入力フォーム含めているが、これらの情報の代わりに或いは追加して、他の情報を含めてもよい。
【００７６】
次に、利用者２０は、図９（ｆ）に示されるように、入力フォーム内に商品の紹介文を、情報通信端末１１のテンキー４６を利用して入力する。その後、利用者２０が、同図（ｆ）に示される表示画像の右下に含まれる「送信」を選択ボタン４３で選択して決定ボタン４４で決定すると、コンテンツ作成部６２は、同図（ｇ）に示されるように、利用者２０が作成したコンテンツをウェブサーバ１４に送信する。送信の終了後、コンテンツ作成部６２は、同図（ｈ）に示されるような通信終了画像を表示させて、処理を終了する。
【００７７】
図１０は、上記のように作成されたコンテンツを、情報通信端末１１の表示部４２に表示した画像の一例を示している。図示の例では、コンテンツとして商品名、価格、および紹介文が表示されている。これらの情報以外にも、例えば著者、出版社など、別の情報をコンテンツに含めても良い。また、図示の例では、情報通信端末１１の表示部４２にコンテンツを表示した例を示したが、例えばＰＣなど、情報通信端末１１以外の端末のディスプレイにコンテンツを表示してもよい。
【００７８】
以上より、本実施形態の商品関連コンテンツ作成システム１０は、商品２４に関連するコンテンツを作成するにあたって、商品名、商品の価格等の情報を利用者２０が入力する必要が無いので、利用者２０の操作手順が軽減される。さらに、利用者２０は、図９（ａ）〜（ｈ）に示されるように、テンプレートの指示に従って操作を進めていくだけで、ウェブサーバ１４上のコンテンツを簡単に作成することできる。
【００７９】
〔実施の形態２〕
次に、本発明の別の実施形態について、図１１〜図１３を参照しつつ説明する。本実施形態の商品関連コンテンツ作成システムは、図１に示される商品関連コンテンツ作成システム１０に比べて、テンプレートを選択すること無しに商品紹介コンテンツを作成する点が異なる。なお、上記実施形態で説明した構成と同様の機能を有する構成には同一の符号を付して、その説明を省略する。
【００８０】
図１１は、本実施形態の商品関連コンテンツ作成システム１０において、利用者２０が、情報通信端末１１を利用して、商品２４に関連するコンテンツを作成する場合の処理動作を示している。この処理動作は、利用者２０が、商品２４に関連するコンテンツを作成しようとして、情報通信端末１１の実行ボタン４５を操作することにより実行される。
【００８１】
なお、図１１では、端末側（情報通信端末１１）の処理動作が左側に示され、サーバ側（商品情報提供サーバ１５、テンプレート生成装置１６）の処理動作が右側に示されている。また、図６に示される処理動作と同様の処理動作には同一の符号を付して、その説明を省略する。
【００８２】
まず、情報通信端末１１は、商品２４に付与されたバーコードから商品識別情報２５を取得し（Ｓ１０）、取得した商品識別情報２５を商品情報提供サーバ１５に送信する（Ｓ１１）。
【００８３】
商品情報提供サーバ１５は、情報通信端末１１から受信した商品識別情報２５に対応する商品情報３３を検索して取得した後（Ｓ２１）、取得した商品情報３３をテンプレート生成装置１６に送信する。その後、商品情報提供サーバ１５は、処理動作を終了する。
【００８４】
テンプレート生成装置１６は、情報通信端末１１で利用可能なテンプレートであって、商品情報提供サーバ１５から受信した商品情報３３を含むテンプレートを作成する（Ｓ２５）。なお、この処理動作の詳細は後述する。次に、テンプレート生成装置１６は、作成したテンプレートを、インターネット１３および移動体通信網１２を介して情報通信端末１１に送信する（Ｓ２６）。その後、テンプレート生成装置１６は、処理動作を終了する。
【００８５】
一方、情報通信端末１１は、テンプレート生成装置１６からテンプレートを受信して取得すると（Ｓ１４）、コンテンツ作成部６２は、取得したテンプレートに含まれるスクリプトを実行して、商品２４に関連するコンテンツの作成を行う（Ｓ１５）。その後、情報通信端末１１は、処理動作を終了する。
【００８６】
図１２は、テンプレート生成装置１６が、商品情報３３からテンプレートを生成する処理動作の詳細を示している。図示のように、まず、テンプレート生成装置１６は、商品情報提供サーバ１５から商品情報を受信する（Ｓ２７）。次に、テンプレート生成装置１６は、受信した商品情報を含んだテンプレートを、メタテンプレートを利用して作成する（Ｓ２８）。その後、図１１に示される元の処理に戻って、テンプレート生成装置１６は、作成したテンプレートを情報通信端末１１に送信する（Ｓ２６）。
【００８７】
ステップＳ２８では、各種必要な情報に対応したテンプレートを作成する必要がある。しかしながら、この技術は既存技術として確立されており、詳細は略すが例えば次のようにすればよい。
【００８８】
すなわち、上記特許文献３に記載されているように、ベクトルアニメーション方式のアニメーションデータを作成するためには、利用者は、アニメーション作成専用のソフトウェアを使用している。このアニメーションデータの作成を効率的に行うには、アニメーションデータの雛型となるテンプレートを予め作成して、このテンプレートを変更することにより、アニメーションデータを作成する。そして、メタテンプレートという中間データを導入し、このメタテンプレートに含まれる基本情報を変換することにより、多様なテンプレートを容易に作成することができる。
【００８９】
なお、図１では、商品情報提供サーバ１５とテンプレート生成装置１６とが別々の装置として記載されているが、商品情報提供サーバ１５内にテンプレート生成装置１６を含めてもよい。この場合、商品情報３３の検索処理やテンプレートの作成処理に関して、ネットワーク１２・１３を介さずに商品情報提供サーバ１５内で処理を行うことが可能となる。
【００９０】
図１３（ａ）〜（ｇ）は、情報通信端末１１において商品２４に関するコンテンツを作成する間に表示部４２に表示される画像の一例を示している。なお、本実施形態では、コンテンツを作成するために、既存技術であるテンプレートを利用している。
【００９１】
まず、制御部５０は、図１３（ａ）に示されるように、利用者２０がこれから行うべき内容を表示させる。利用者２０が、同図（ａ）に示される表示画像の右下に含まれる「次へ」を選択ボタン４３で選択して決定ボタン４４で決定すると、商品識別情報取得部６０は、同図（ｂ）に示されるように、撮影部４７を利用して商品２４のバーコードを撮影するように利用者２０に指示し、撮影画像からバーコードを認識して、該バーコードに含まれる商品識別情報２５を取得する。
【００９２】
商品識別情報２５を取得した後、商品識別情報取得部６０は、図１３（ｃ）に示されるように、移動体通信網１２およびインターネット１３を介して商品情報提供サーバ１５に商品識別情報２５を送信する。商品識別情報２５を受信した商品情報提供サーバ１５は、商品識別情報２５に対応した商品情報３３を検索し、検索した商品情報３３を所定のデータフォーマットに変換した上で、テンプレート生成装置１６に送信する。次に、テンプレート生成装置１６は、商品情報提供サーバ１５から受信した商品情報３３を含むテンプレートを作成し、作成したテンプレートを、インターネット１３および移動体通信網１２を介して情報通信端末１１に送信する。
【００９３】
情報通信端末１１がテンプレート生成装置１６からテンプレートを取得すると、情報通信端末１１の制御部５０は、取得したテンプレートに含まれるスクリプトを実行する。これにより、以下の処理が実行される。すなわち、コンテンツ作成部６２は、図１３（ｅ）に示されるように、商品情報３３が予め含まれた入力フォームを表示部４２に表示させる。なお、図示の例では、商品名および価格の情報を入力フォーム含めているが、これらの情報の代わりに或いは追加して、他の情報を含めてもよい。
【００９４】
次に、利用者２０は、図１３（ｅ）に示されるように、入力フォーム内に商品の紹介文を、情報通信端末１１のテンキー４６を利用して入力する。その後、利用者２０が、同図（ｅ）に示される表示画像の右下に含まれる「送信」を選択ボタン４３で選択して決定ボタン４４で決定すると、コンテンツ作成部６２は、同図（ｆ）に示されるように、利用者２０が作成したコンテンツをウェブサーバ１４に送信する。送信の終了後、コンテンツ作成部６２は、同図（ｇ）に示されるような通信終了画像を表示させて、処理を終了する。
【００９５】
以上のように、本実施形態の商品関連コンテンツ作成システム１０では、図１に示される商品関連コンテンツ作成システム１０と同様の作用効果を奏することができる。さらに、本実施形態の商品関連コンテンツ作成システム１０では、利用者２０は、商品識別情報２５を取得するだけで、テンプレートを選択する必要がないので、利用者２０の操作手順をさらに軽減することができる。
【００９６】
〔実施の形態３〕
次に、本発明のさらに別の実施形態について、図１４および図１５を参照しつつ説明する。本実施形態の情報通信端末は、図１・図３〜図５に示される情報通信端末１１に比べて、商品情報とテンプレートとを通信ネットワーク１２・１３を介さずに取得する点が異なる。なお、上記実施形態で説明した構成と同様の機能を有する構成には同一の符号を付して、その説明を省略する。
【００９７】
本実施形態では、商品２４に付与されているバーコードが、例えばＱＲコード（登録商標）のような２次元バーコードである。また、制御部５０は、撮影部４７が撮影した撮影画像から２次元バーコードを抽出して認識する機能を有している。１次元バーコードの場合、データ量は数十バイト程度であるが、２次元バーコードの場合、データ量は数ｋバイト程度である。このため、２次元バーコードを利用することにより、商品識別情報２５の他、商品情報や該商品情報に対応したテンプレートを商品２４に付与することができる。
【００９８】
図１４は、本実施形態の情報通信端末１１を利用して、利用者２０が、商品２４に関連するコンテンツを作成する場合の処理動作を示している。この処理動作は、利用者２０が、商品２４に関連するコンテンツを作成しようとして、情報通信端末１１の実行ボタン４５を操作することにより実行される。
【００９９】
図１４に示されるように、まず、情報通信端末１１の制御部５０は、情報通信端末１１の撮影部４７を利用して、商品識別情報２５の１つである２次元バーコードを撮影するように利用者２０に指示する。次に、制御部５０は、撮影画像から２次元バーコードを認識し、２次元バーコードに含まれる情報を取得する（Ｓ１６）。
【０１００】
取得した情報には、商品識別情報２５を含む商品情報３３と、商品情報３３に対応したテンプレートとが含まれている。したがって、コンテンツ作成部６２は、２次元バーコードから取得したテンプレートに含まれるスクリプトを実行して、商品２４に関連するコンテンツの作成を行う（Ｓ１７）。その後、情報通信端末１１は、処理動作を終了する。
【０１０１】
図１５（ａ）〜（ｆ）は、情報通信端末１１において商品２４に関するコンテンツを作成する間に表示部４２に表示される画像の一例を示している。なお、本実施形態では、コンテンツを作成するために、既存技術であるテンプレートを利用している。
【０１０２】
まず、制御部５０は、図１５（ａ）に示されるように、利用者２０がこれから行うべき内容を表示させる。利用者２０が、同図（ａ）に示される表示画像の右下に含まれる「次へ」を選択ボタン４３で選択して決定ボタン４４で決定すると、制御部５０は、同図（ｂ）に示されるように、撮影部４７を利用して商品２４の２次元バーコードを撮影するように利用者２０に指示し、撮影画像から２次元バーコードを認識して、該２次元バーコードに含まれる商品情報３３と、商品情報３３に対応したテンプレートとを取得する。
【０１０３】
次に、制御部５０は、取得したテンプレートに含まれるスクリプトを実行する。これにより、以下の処理が実行される。すなわち、コンテンツ作成部６２は、図１５（ｃ）に示されるように、商品情報３３が予め含まれた入力フォームを表示部４２に表示させる。なお、図示の例では、商品名および価格の情報を入力フォーム含めているが、これらの情報の代わりに或いは追加して、他の情報を含めてもよい。
【０１０４】
次に、利用者２０は、図１５（ｄ）に示されるように、入力フォーム内に商品の紹介文を、情報通信端末１１のテンキー４６を利用して入力する。その後、利用者２０が、同図（ｄ）に示される表示画像の右下に含まれる「送信」を選択ボタン４３で選択して決定ボタン４４で決定すると、コンテンツ作成部６２は、同図（ｅ）に示されるように、利用者２０が作成したコンテンツをウェブサーバ１４に送信する。送信の終了後、コンテンツ作成部６２は、同図（ｆ）に示されるような通信終了画像を表示させて、処理を終了する。
【０１０５】
以上のように、本実施形態の情報通信端末１１は、図１・図３〜図５に示される情報通信端末１１と同様の作用効果を奏することができる。さらに、本実施形態の情報通信端末１１では、２次元バーコードを撮影することにより、商品情報３３と商品情報３３に対応するテンプレートとを取得できるので、利用者２０が適当なテンプレートを選択する必要が無いので、利用者２０の操作手順をさらに軽減することができる。また、情報通信端末１１は、テンプレート生成装置１６からテンプレートを受信する必要が無いので、通信に費やす時間を省略でき、処理効率を向上できるとともに、インターネット接続サービスを利用する必要が無く、通信に費やすコストを低減できる。
【０１０６】
なお、本実施形態では、２次元バーコードから、商品識別情報２５を含む商品情報３３と、商品情報３３に対応したテンプレートとを取得しているが、商品情報３３を予め含んだテンプレートを取得しても良い。また、商品情報３３の中には、価格などのように変化する可能性があるものが存在するので、商品識別情報２５を除く商品情報３３の一部または全部を別途商品情報提供サーバ１５から取得してもよい。この場合、ステップＳ１６において、制御部５０は、取得した商品識別情報２５を、通信ネットワーク１２・１３を介して商品情報提供サーバ１５に送信して、商品情報提供サーバ１５から通信ネットワーク１２・１３を介して商品情報３３を受信すればよい。
【０１０７】
〔実施の形態４〕
次に、本発明のさらに別の実施形態について、図１６〜図１８を参照しつつ説明する。本実施形態の商品関連コンテンツ作成システムは、図１に示される商品関連コンテンツ作成システム１０に比べて、情報通信端末１１に予め含まれる種々の商品紹介テンプレートの中から適当な商品紹介テンプレートを自動的に選択する点が異なる。なお、上記実施形態で説明した構成と同様の機能を有する構成には同一の符号を付して、その説明を省略する。
【０１０８】
全ての商品が同じ商品紹介テンプレートで紹介できない場合は、商品のカテゴリ別に様々な商品紹介テンプレートを利用することが考えられる。例えば、本紹介テンプレートの場合には、本の著者、タイトルの情報が重要であり、またＣＤ紹介テンプレートの場合には、歌手、発売元の情報が重要であるなど、用途に応じて商品紹介テンプレートの種類を複数用意した方が好ましい場合がある。
【０１０９】
しかしながら、複数の商品紹介テンプレートを用意する場合、利用者２０が、商品２４に基づいて適当な商品紹介テンプレートを選択する必要があり、利用者２０を煩わせることになる。
【０１１０】
これに対し、本実施形態では、情報通信端末１１に予め含まれる種々の商品紹介テンプレートの中から適当な商品紹介テンプレートを自動的に選択するので、利用者２０を煩わせることがない。
【０１１１】
図１６は、本実施形態の商品関連コンテンツ作成システム１０において、利用者２０が、情報通信端末１１を利用して、商品２４に関連するコンテンツを作成する場合の処理動作を示している。この処理動作は、利用者２０が、商品２４に関連するコンテンツを作成しようとして、情報通信端末１１の実行ボタン４５を操作することにより実行される。
【０１１２】
なお、図１６では、端末側（情報通信端末１１）の処理動作が左側に示され、サーバ側（商品情報提供サーバ１５）の処理動作が右側に示されている。また、図６に示される処理動作と同様の処理動作には同一の符号を付して、その説明を省略する。
【０１１３】
まず、情報通信端末１１は、商品２４に付与されたバーコードから商品識別情報２５を取得し（Ｓ１０）、取得した商品識別情報２５を商品情報提供サーバ１５に送信する（Ｓ１１）。商品情報提供サーバ１５は、情報通信端末１１から商品識別情報２５を受信すると（Ｓ２０）、受信した商品識別情報２５に対応する商品情報３３を検索して取得し（Ｓ２１）、取得した商品情報３３を情報通信端末１１に送信する（Ｓ２２）。その後、商品情報提供サーバ１５は、処理動作を終了する。以上は、図６に示される処理動作と同様である。
【０１１４】
一方、情報通信端末１１は、商品情報提供サーバ１５から商品情報３３を受信して取得すると（Ｓ１２）、制御部５０は、取得した商品情報３３に含まれる商品カテゴリを取得する（Ｓ３０）。次に、制御部５０は、取得した商品カテゴリを有するテンプレート（商品紹介テンプレート）を検索して取得する（Ｓ３１）。
【０１１５】
ここで、商品カテゴリは、図８に示される商品データ３５において、タグ＜Ｃａｔｅｇｏｒｙ＞とタグ＜／Ｃａｔｅｇｏｒｙ＞との間に含まれる情報のことであり、図示の例では、商品カテゴリはＢｏｏｋ（本）である。したがって、この場合、ステップＳ３１にて、商品カテゴリとしてＢｏｏｋを有するテンプレートを検索して取得することになる。
【０１１６】
図１７は、テンプレート７０のデータの一例を示している。図示のように、テンプレート７０のデータは、商品カテゴリを特定したデータ７１を含んでいる。この場合、ステップＳ３１において、制御部５０は、ステップＳ３０にて取得した商品カテゴリを上記データ７１内に有するテンプレート７０を検索すればよい。したがって、情報通信端末１１は、同様の商品カテゴリを有するテンプレートを選択することにより、商品に関連した適切なテンプレートを自動的に選択することができる。
【０１１７】
図１６に戻ると、ステップＳ３１の後、図６に示される処理動作と同様に、制御部５０は、取得した商品情報３３とテンプレートとを利用して、商品２４に関連するコンテンツの作成を行う（Ｓ１３）。その後、情報通信端末１１は、処理動作を終了する。
【０１１８】
図１８（ａ）〜（ｃ）は、情報通信端末１１において、複数の商品紹介テンプレートから適切な商品紹介テンプレートが自動的に選択されるまでに表示部４２に表示される画像の一例を示している。
【０１１９】
まず、制御部５０は、同図（ａ）に示されるように、利用者２０がこれから行うべき内容を表示させる。利用者２０が、同図（ａ）に示される表示画像の右下に含まれる「次へ」を選択ボタン４３で選択して決定ボタン４４で決定すると、制御部５０は、同図（ｂ）に示されるように、撮影部４７を利用して商品２４の２次元バーコードを撮影するように利用者２０に指示し、撮影画像から２次元バーコードを認識して、該２次元バーコードに含まれる商品情報３３を取得する。
【０１２０】
次に、制御部５０は、取得した商品情報３３に含まれる商品識別情報２５から複数の商品紹介テンプレートを取得して、図１８（ｃ）に示されるように、商品紹介テンプレートの一覧を表示する。そして、制御部５０は、商品情報３３に含まれる商品カテゴリと内容が一致する商品カテゴリを含む商品紹介テンプレートを検索し、同図（ｃ）に示されるように、該当する商品紹介テンプレート（図示では本紹介テンプレート）を選択する。なお、その後は、図９（ｅ）〜（ｈ）と同様の処理が行われるので、その説明を省略する。
【０１２１】
以上のように、本実施形態の商品関連コンテンツ作成システム１０では、図１に示される商品関連コンテンツ作成システム１０と同様の作用効果を奏することができる。さらに、情報通信端末１１に、複数の商品紹介テンプレートが記憶されている場合でも、図１８（ｃ）に示されるように、商品カテゴリに基づいて商品紹介テンプレートが自動的に選択されるので、利用者２０は、適切な商品紹介テンプレートを容易に取得することができる。特に、複数の商品紹介テンプレートが、どのような商品を紹介するための商品紹介テンプレートであるかを利用者２０が判断し難いものである場合に効果的である。
【０１２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２３】
例えば、図１に示される商品関連コンテンツ作成システム１０は、１台の商品情報提供サーバ１５を備えているが、複数の商品情報提供サーバ１５を備えていてもよい。この場合、情報通信端末１１が記憶するテンプレート内に、複数の商品情報提供サーバ１５の位置情報（例えばＵＲＬなど）を予め含めておけばよい。また、テンプレートをテンプレート生成装置１６が自動的に作成する場合でも、テンプレート生成装置１６に複数の商品情報提供サーバ１５の位置情報を予め記憶しておくことにより対処できる。
【０１２４】
また、利用者２０が作成した或る商品のコンテンツにおいて、該商品を購入するためのサイト情報（例えば電子商取引サイトのＵＲＬ）を含めておくことにより、ウェブサーバ１４で公開される商品紹介のコンテンツを見た別の利用者が、簡単に上記商品を購入するためのサイトに移動することが可能となる。なお、電子商取引サイトのＵＲＬは、利用者２０が自分で入力してもよいし、商品識別情報２５の中にあらかじめ含めておき、情報通信端末１１で取得することで利用してもよい。また、電子商取引サイトのＵＲＬは、商品情報提供サーバ１５に含めておいてもよいし、テンプレート生成装置１６に含めておいてもよい。
【０１２５】
また、情報通信端末１１の各ブロック、特に制御部５０は、ハードウェアロジックによって構成してもよいし、次のようにＣＰＵを用いてソフトウェアによって実現してもよい。
【０１２６】
すなわち、情報通信端末１１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである情報通信端末１１の制御プログラムのプログラムコード（実行形式プログラム、中間コードプログラム、ソースプログラム）をコンピュータで読み取り可能に記録した記録媒体を、上記情報通信端末１１に供給し、そのコンピュータ（またはＣＰＵやＭＰＵ）が記録媒体に記録されているプログラムコードを読み出し実行することによっても、達成可能である。
【０１２７】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２８】
また、情報通信端末１１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０１２９】
また、本発明は、例えば以下のような方法を含むこともできる。
【０１３０】
すなわち、本発明に係る情報通信端末の制御方法は、商品関連コンテンツを作成する商品関連コンテンツ作成システムにおいて、利用者が利用する情報通信端末を制御する情報通信端末の制御方法であって、前記商品関連コンテンツ作成システムは、該情報通信端末と通信ネットワークを介して通信可能に接続し、前記商品に関する情報である商品情報を提供する商品情報提供サーバを備えており、前記商品情報提供サーバは、前記商品を識別する商品識別情報を前記商品情報に対応付けて記憶しており、前記情報通信端末は、情報の入力を受け付ける入力手段と、情報を前記通信ネットワーク上に送受信する通信手段を備えており、上記課題を解決するために、前記商品識別情報を、前記入力手段を介して取得するステップと、取得した商品識別情報を、前記通信手段を介して前記商品情報提供サーバに送信することにより、前記商品識別情報に対応する商品情報を前記商品情報提供サーバから前記通信手段を介して取得するステップと、取得した商品情報に、利用者から入力手段を介して取得した情報を追加した商品関連コンテンツを作成するステップとを含んでいる。
【０１３１】
上記の方法によると、情報通信端末は、商品識別情報を取得し、取得した商品識別情報を商品情報提供サーバに送信することにより、商品識別情報に対応する商品情報を商品情報提供サーバから取得し、取得した商品情報に、利用者から取得した情報を追加した商品関連コンテンツを作成している。これにより、利用者は、商品識別情報を情報通信端末に入力することにより、自動的に商品情報を取得できるので、商品関連コンテンツを作成するときに商品情報を入力する必要が無い。したがって、利用者は、商品関連コンテンツを容易に作成することができる。
【０１３２】
また、本発明に係る商品関連コンテンツ作成装置の制御方法は、商品関連コンテンツを作成する商品関連コンテンツ作成装置の制御方法であって、該商品関連コンテンツ作成装置は、情報の入力を受け付ける入力手段を備えており、前記入力手段は、外部記録媒体に記録された情報を読み取る情報読取手段を備えており、上記課題を解決するため、前記商品に関する情報である商品情報を、前記情報読取手段を介して取得するステップと、取得した商品情報に、利用者から入力手段を介して取得した情報を追加した商品関連コンテンツを作成するステップとを含んでいる。
【０１３３】
上記の方法によると、情報通信端末は、外部記録媒体から商品情報を取得し、取得した商品情報に、利用者から取得した情報を追加した商品関連コンテンツを作成している。これにより、利用者は、外部記録媒体から自動的に商品情報を取得できるので、商品関連コンテンツを作成するときに商品情報を入力する必要が無い。したがって、利用者は、商品関連コンテンツを容易に作成することができる。
【産業上の利用可能性】
【０１３４】
本発明に係る商品関連コンテンツ作成システムでは、情報通信端末は、利用者からの入力が制約される携帯電話機、ＰＤＡ、ノート型ＰＣなどの携帯型情報通信端末に好適であるが、デスクトップ型ＰＣなどの他の情報通信端末にも適用できる。
【図面の簡単な説明】
【０１３５】
【図１】本発明の一実施形態である商品関連コンテンツ作成システムの概略構成を示すブロック図である。
【図２】上記実施形態における商品情報提供サーバの概略構成を示すブロック図である。
【図３】上記実施形態における情報通信端末の外観を示す図であり、同図（ａ）が正面図であり、同図（ｂ）が背面図である。
【図４】上記情報通信端末におけるハードウェア構成の概要を示すブロック図である。
【図５】上記情報通信端末における制御部の機能構成の概要を示すブロック図である。
【図６】上記商品関連コンテンツ作成システムにおける処理動作を示すフローチャートである。
【図７】上記処理動作における商品情報検索処理の詳細を示すフローチャートである。
【図８】上記商品情報提供サーバが上記情報通信端末に提供する商品情報の一例をＸＭＬデータで示す図である。
【図９】同図（ａ）〜（ｈ）は、上記情報通信端末において商品に関するコンテンツを作成する間に表示部に表示される画像の一例を示す図である。
【図１０】作成されたコンテンツを上記情報通信端末の表示部に表示した画像の一例を示す図である。
【図１１】本発明の別の実施形態である商品関連コンテンツ作成システムにおける処理動作を示すフローチャートである。
【図１２】上記処理動作におけるテンプレート作成処理の詳細を示すフローチャートである。
【図１３】同図（ａ）〜（ｇ）は、上記商品関連コンテンツ作成システムの情報通信端末において商品に関するコンテンツを作成する間に表示部に表示される画像の一例を示す図である。
【図１４】本発明のさらに別の実施形態である情報通信端末における処理動作を示すフローチャートである。
【図１５】同図（ａ）〜（ｆ）は、上記情報通信端末において商品に関するコンテンツを作成する間に表示部に表示される画像の一例を示す図である。
【図１６】本発明の他の実施形態である商品関連コンテンツ作成システムにおける処理動作を示すフローチャートである。
【図１７】上記商品関連コンテンツ作成システムにおける情報通信端末が記憶する商品紹介テンプレートのデータの一例を示す図である。
【図１８】同図（ａ）〜（ｃ）は、上記情報通信端末において、複数の商品紹介テンプレートから適切な商品紹介テンプレートが自動的に選択されるまでに表示部に表示される画像の一例を示す図である。
【符号の説明】
【０１３６】
１０    商品関連コンテンツ作成システム
１１    情報通信端末（商品関連コンテンツ作成装置）
１２    移動体通信網（通信ネットワーク）
１３    インターネット（通信ネットワーク）
１４    ウェブサーバ（コンテンツ提供サーバ）
１５    商品情報提供サーバ
１６    テンプレート生成装置（テンプレート生成サーバ）
２０    利用者
２４    商品
２５    商品識別情報
３３    商品情報
４１    アンテナ（通信手段）
４２    表示部（出力手段）
４３    選択ボタン（入力手段）
４４    決定ボタン（入力手段）
４５    実行ボタン（入力手段）
４６    テンキー（入力手段）
４７    撮影部（入力手段、情報読取手段、撮影手段）
５０    制御部（制御手段）
５１    ＲＦ通信部（通信手段）
５３    入力部（入力手段）
６０    商品識別情報取得部（識別情報取得手段）
６１    商品情報取得部（商品情報取得手段）
６２    コンテンツ作成部（コンテンツ作成手段）
【図１】
2006285800.tif 000003
【図２】
2006285800.tif 000004
【図３】
2006285800.tif 000005
【図４】
2006285800.tif 000006
【図５】
2006285800.tif 000007
【図６】
2006285800.tif 000008
【図７】
2006285800.tif 000009
【図８】
2006285800.tif 000010
【図９】
2006285800.tif 000011
【図１０】
2006285800.tif 000012
【図１１】
2006285800.tif 000013
【図１２】
2006285800.tif 000014
【図１３】
2006285800.tif 000015
【図１４】
2006285800.tif 000016
【図１５】
2006285800.tif 000017
【図１６】
2006285800.tif 000018
【図１７】
2006285800.tif 000019
【図１８】
2006285800.tif 000020